(57)【要約】【課題】  シートバックの傾動位置によってシートバック側に設けたシートバックのロック解除用解除レバーが遊んだり、或いは、解除レバーの解除ストロークが変化することがないようにする。【解決手段】  回転させることによりリクライニング機構のロックを解除させるリクライニング軸Ｓに、一体に解除プレート１４を設け、この解除プレート１４に、固定部材３０側に設けたリンク１２をバネ１３の弾力で接合させ、このリンク１２と固定側の取付ブラケット３１とをケーブルＡ１１Ｂで接続し、取付ブラケット３１を介して解除レバー１０をケーブルＢ１１Ａで連結したことを特徴とする。【選択図】  図１
2005318914.tif 000002
【特許請求の範囲】
【請求項１】
回転させることによりリクライニング機構のロックを解除させるリクライニング軸と、このリクライニング軸に一体に一端を固定した解除プレートと、
シートの固定部材に基端を回動自在且つ前記解除プレートにバネの弾力で接合するリンクと、
このリンクの先端と、前記固定部材に設けた取付ブラケットとの間に配設したケーブルＡと、
前記取付ブラケットと解除レバーとの間に設けたケーブルＢとからなるリクライニング機構のロック解除構造。
【請求項２】
前記リクライニング軸はリクライニング機構の左右より外方に突出状に設け、その一方に前記解除プレートを設け、他方に遠隔操作により前記リクライニング軸を回転させる遠隔操作機構を設けてなる請求項１のリクライニング機構のロック解除構造。
【発明の詳細な説明】
【技術分野】
【０００１】
本発明は自動車用シートにおけるリクライニング機構のロック解除構造に関する。
【背景技術】
【０００２】
従来の自動車用リャシートには、例えば、特開２０００ー４３６２５号公報に示すように、リクライニング機構によるシートバックのロック解除用解除レバーをシートバックの頂部等に設け、リクライニング機構の中央より外部に突出するリクライニング軸に解除プレートを固定し、この解除プレートと前記解除レバーとをケーブルで連結している。
【０００３】
また、ロック解除機構をリクライニング機構によって可動するシートバック側に設けて、シートバックの頂部に設けた解除レバーを操作することにより、リクライニング機構によるロックを解除するものもある。
【０００４】
【特許文献１】特開２０００ー４３６２５号公報
【発明の開示】
【発明が解決しようとする課題】
【０００５】
前記従来品における解除レバーとリクライニング軸とを解除プレートを介してケーブルで連結したものはシートバックを前倒すると、ケーブルがたるみ、解除レバーが遊んでしまう不具合があった。
【０００６】
これはリクライニングのロック解除時に、解除プレートの位置がロック時と異なるためである。
【０００７】
一方、シートバック側にロック解除機構を設けたものは、シートバックが前傾又は後傾時など解除レバーとシートバック側に設けたロック解除機構の構成部材とを連結するケーブルの固定点と、解除レバーとの間の距離が相異するため、シートバックの傾斜位置により解除ストロークが変化する不具合があった。
【０００８】
そこで、本発明はシートバックの前倒れ時における解除レバーの遊びをなくし、また、解除レバーにおける解除ストロークを常に一定にさせることを目的とする。
【課題を解決するための手段】
【０００９】
以上の目的を達成するための本発明に係るリクライニング機構のロック解除機構は、回転させることによりリクライニング機構のロックを解除させるリクライニング軸と、  このリクライニング軸に一体に一端を固定した解除プレートと、シートの固定部材に基端を回動自在且つ解除プレートにバネの弾力で接合するリンクと、このリンクの先端と、前記固定部材に設けた取付ブラケットとの間に配設したケーブルＡと、前記取付ブラケットと解除レバーとの間に設けたケーブルＢとからなる構成である。
【００１０】
以上の構成により、ケーブルＢを取付ブラケットに固定し、ケーブルＡをリンクに固定しているので、解除レバーとの相対位置が常に一定になる。
【００１１】
また、前記リクライニング軸はリクライニング機構の左右より外方に突出状に設け、その一方に前記解除プレートを設け、他方に遠隔操作により前記リクライニング軸を回転させる遠隔操作機構を設けることにより、リクライニング装置に２系統で、各々単独で機能する解除機構を外歯タイプのいわゆるラウンドリクライニング装置、或いは、バウメル式リクライニング装置に使用できる。
【発明の効果】
【００１２】
本請求項１の発明によれば、リクライニング装置のロックを解除する解除レバーにおける解除ストロークを常に一定にさせることができ、ロック解除時の操作性を向上させることができる。
【００１３】
また、前記ロック解除してシートバックを前倒れした際に、解除レバーの遊びがない。
【００１４】
本請求項２の発明によれば、ロック解除が２系統で行うことができるため、ロック解除の操作位置が広範囲になり、ロック解除を容易に行うことができる。
【発明を実施するための最良の形態】
【００１５】
以下、本発明の一実施例を図面に基づいて説明する。
図１はリクライニング機構の内側、図２は同外側を示し、このリクライニング機構はロアアーム３０とアッパーアーム４０との間にリクライナーＲを有し、ロアアーム３０はシートクッションを取付けるベースプレート、或いは、図３、図４に示すように車体に取付けるベースプレート３２に、また、アッパーアーム４０はシートバックＳＢのフレーム４１に各々一体に締結されている。
【００１６】
以上のアッパーアーム４０はロアアーム３０に回動自在に枢着し、リクライナーＲによってアッパーアーム４０を前倒可能にロックしている。
【００１７】
このリクライナーＲは、前記アッパーアーム４０の回動中心であるリクライニング軸Ｓがアッパーアーム４０、ロアアーム３０の外側に突出するように配設され、このリクライニング軸Ｓを回転させることにより、リクライナーＲによるアッパーアーム４０のロアアーム３０に対するロックが解除されるように構成されている。
【００１８】
リクライナーＲは、リクライニング軸Ｓの両端が外部に突出するほかは、外歯歯車部、この内歯歯車部などからなるパウメル式リクライニング方式などその中心に配設したリクライニング軸Ｓを回転することによりロックが解除される周知の構造のものである。
【００１９】
図示するロアアーム３０にはアッパーアーム４０の外方に突出する固定ブラケット３１が一体に固着され、この固定ブラケット３１に対して、アッパーアーム３０及びリクライニング軸Ｓは回転可能に取付けられ、この固定ブラケット３１にリンク１２の基端が枢支ピン１２Ａによって回転自在且つバネ１３の弾力によって、図１の時計方向に付勢している。
【００２０】
このリンク１２の先端にはケーブルＡ１１Ｂが連結され、リンク１２のリクライニング軸Ｓ側には略Ｕ字状に切欠形成した押圧部１２Ｂが設けてあり、この押圧部１２Ｂがリクライニング軸Ｓと一体の解除プレート１４に設けたピン１４Ａに前記バネ１３の弾力によって当接するように配設されている。
【００２１】
前記ケーブルＡ１１Ｂの他端は前記固定ブラケット３１と一体の取付ブラケット３１Ａに挿通し、この取付ブラケット３１Ａと図４に示すシートバックＳＢの頂部に設けた解除レバー１０との間にケーブルＢ１１Ａが連結され、解除レバー１０の操作力がケーブルＢ１１Ａ、ケーブルＡ１１Ｂを介してリンク１２に伝達するように構成されている。
【００２２】
従って、バネ（不図示）によって付勢されている解除レバー１０をそのバネの弾力に抗して操作するとリンク１２が枢支ピン１２Ａを回転中心に回転してピン１４Ａを図１矢印方向であるＡ方向に回動させる。これにより、ピン１４Ａと一体の解除プレート１４が回転し、リクライニング軸ＳＢを回転させる。これにより、ロックが解除され、シートバックＳＢを前倒できる。
【００２３】
そして、ロック解除状態であるアンロック状態は解除レバー１０に対する操作力を解除することにより、ロック状態に戻る。
【００２４】
しかし、リンク１２はバネ１３の弾力により、常に付勢されているため、解除レバー１０はシートバックＳＢの傾動により連動して可動するが、所定位置に保持される。
即ち、ケーブルＢ１１Ａを取付ブラケット３１Ａ、ケーブルＡ１１Ｂをリンク１２に取付けているため、ケーブルＡ１１Ｂによって解除レバー１０とリンク１２との相対位置を常に一定にしている。
【００２５】
そのため、解除プレートと解除レバーとを直接ケーブルで連結した従来品の如き、シートバックの前倒など前傾した際に、解除プレートと解除レバーとの間の距離が短くなって、ケーブルがたるみ、解除レバーに遊びが生じることがない。
【００２６】
一方、図２に示すように、リクライニング機構の外側には、運転席や図４に示すようにリャゲートからシートバックＳＢのロック解除を遠隔操作できるように、遠隔操作機構が設けてある。
【００２７】
この遠隔操作機構は、前記リクライニング機構の内側に設けたロック解除機構とは独立して作動するように前記リクライニング軸Ｓに設けてある。
【００２８】
従って、この遠隔操作機構を作動しても、これに連動して前記ロック解除機構のリンク１２、ケーブルＡ１１Ｂ、ケーブルＢ１１Ａ、解除レバー１０は可動することがないように構成されている。
【００２９】
即ち、図４に示すようにリャゲートに設けた解除レバー２０に一端を連結するケーブルＣ２１は、他端を回動片２２に連結し、回動片２２はリクライニング軸Ｓに一体に固着した解除プレート２３に締結部材２２Ａ、２２Ａによって締結して、解除レバー２０を操作することにより、回動片２２を介して解除プレート２３を図２矢印方向であるＡ方向に可動させることにより、リクライニング軸Ｓを回動してロック解除できるようにしている。
【００３０】
そして、解除プレート２３はばね２４によって、リクライニング軸Ｓをロック方向に付勢している。
【００３１】
この遠隔操作によって前述の如く前記リクライニング機構の内側に設けたロック解除機構を構成しているため、解除レバー１０等が動くことがなく、解除レバー１０はその操作時のみに動く。
【図面の簡単な説明】
【００３２】
【図１】本発明の要部を示す側面図である。
【図２】図１の裏面側を示す側面図である。
【図３】図１の断面図である。
【図４】本発明を備える自動車用シートの斜視図である。
【符号の説明】
【００３３】
Ｓ…リクライニング軸、１１Ａ…ケーブルＢ、１１Ｂ…ケーブルＡ、１２…リンク、
１３…バネ、１４…解除プレート、３１Ａ…取付ブラケット、１０…解除レバー、
３０…シートの固定部材
【図１】
2005318914.tif 000003
【図２】
2005318914.tif 000004
【図３】
2005318914.tif 000005
【図４】
2005318914.tif 000006